(57)【要約】【課題】乳幼児が誤飲などすることを防止できると共に現状でマスタ装置側からアクセス要求に応えることができる状態であるかなどを把握する。【解決手段】メモリカードを挿抜可能なコネクタを備え、前記メモリカードにアクセスすると共に、マスタ機器との間で無線通信により送受信を行うデータ記憶装置である。前記メモリカードを挿抜する部位に開閉可能な蓋２１を有し、乳幼児の口に入らない大きさのケース２０と、前記蓋２１を開閉すると共に前記蓋２１が閉じられた状態においてロックする蓋駆動ロック手段１９と、前記ケース２０に設けられたＬＥＤ１８と、前記蓋駆動ロック手段１９を制御して前記蓋の開閉とロック・アンロックを行うと共に、前記ＬＥＤ１８を制御してその点灯状態を変更する制御手段とを具備する。【選択図】図１
2019056993.tif 000002
【特許請求の範囲】
【請求項１】
メモリカードを挿抜可能なコネクタを備え、前記メモリカードにアクセスすると共に、マスタ機器との間で無線通信により送受信を行うデータ記憶装置において、
前記メモリカードを挿抜する部位に開閉可能な蓋を有し、乳幼児の口に入らない大きさのケースと、
前記蓋を開閉すると共に前記蓋が閉じられた状態においてロック・アンロックする蓋駆動ロック手段と、
前記ケースの外面に発光色を放つように設けられたＬＥＤと、
前記マスタ機器との間における認証の完未完、前記マスタ機器との間の距離に基づく通信の可否、前記マスタ機器からの指示、に基づき前記蓋駆動ロック手段を制御して前記蓋の開閉とロック・アンロックを行うと共に、前記ＬＥＤを制御してその点灯状態を変更する制御手段と
を具備することを特徴とするデータ記憶装置。
【請求項２】
前記制御手段は、前記マスタ機器との認証が未完である場合に、前記蓋を閉成すると共にロック状態とし、前記ＬＥＤを消灯するように制御することを特徴とする請求項１に記載のデータ記憶装置。
【請求項３】
前記制御手段は、前記マスタ機器との間で通信が不可である場合に、前記蓋を閉成すると共にロック状態とし、前記ＬＥＤを消灯するように制御することを特徴とする請求項１または２に記載のデータ記憶装置。
【請求項４】
前記制御手段は、認証が完了した前記マスタ機器との間で通信が可能である場合において前記コネクタにメモリカードが未挿入である場合には、前記蓋をアンロック状態とすると共に前記蓋を開状態とし、前記ＬＥＤを第１の色により点灯するように制御することを特徴とする請求項１乃至３のいずれか１項に記載のデータ記憶装置。
【請求項５】
前記制御手段は、認証が完了した前記マスタ機器との間で通信が可能である場合において前記コネクタにメモリカードが挿入されている場合には、前記蓋をアンロック状態とすると共に前記蓋を開状態とし、前記ＬＥＤを第１の色と異なる第２の色により点灯するように制御することを特徴とする請求項１乃至４のいずれか１項に記載のデータ記憶装置。
【請求項６】
前記制御手段は、認証が完了した前記マスタ機器との間で回線接続中である場合に、前記蓋をアンロック状態とすると共に前記蓋を開状態とし、前記ＬＥＤを第１及び第２の色とは異なる第３の色により点灯するように制御することを特徴とする請求項１乃至５のいずれか１項に記載のデータ記憶装置。
【請求項７】
前記制御手段は、認証が完了した前記マスタ機器との間で回線接続中から回線接続が断となった場合に、前記蓋をアンロック状態とすると共に前記蓋を開状態とし、前記ＬＥＤを第１の色により点灯するように制御することを特徴とする請求項１乃至６のいずれか１項に記載のデータ記憶装置。
【請求項８】
前記制御手段は、認証が完了した前記マスタ機器との間で回線接続中か否かを所定時間間隔で前記マスタ機器に問い合わせ、この問い合わせのときに、前記ＬＥＤを第３の色により点滅するように制御することを特徴とする請求項１乃至７のいずれか１項に記載のデータ記憶装置。
【請求項９】
前記制御手段は、前記マスタ機器からの指示に基づき前記蓋駆動ロック手段を制御して前記蓋の閉成とロックを行うと共に、前記ＬＥＤを第１〜第３の色と異なる第４の色により点灯するように制御することを特徴とする請求項１乃至８のいずれか１項に記載のデータ記憶装置。
【請求項１０】
前記ケースが球形または角部が丸く切削された矩形形状であることを特徴とする請求項１乃至９のいずれか１項に記載のデータ記憶装置。
【請求項１１】
球形の直径或いは矩形の一辺の長さが、５５ｍｍであることを特徴とする請求項１０に記載のデータ記憶装置。
【発明の詳細な説明】
【技術分野】
【０００１】
この発明は、メモリカードを挿抜可能なコネクタを備え、前記メモリカードにアクセスすると共に、マスタ機器との間で無線通信により送受信を行うデータ記憶装置に関するものである。
【背景技術】
【０００２】
メモリカードは、小型であり、乳幼児が誤飲する虞が大きい。この対策として、特許文献１には、カードの表面全体や一部に苦み成分を有する薬品等を塗布することが示されている。
【０００３】
また、メモリカードを大きなケースに収納することにより乳幼児が直接メモリカードに触れることがないように対策することが特許文献２、３に示されている。
【０００４】
上記の特許文献１の発明では、苦み成分を有する塗布剤の健康に対する安全性については考慮されているものの、衛生面からは必ずしも適切であるとは言えないものであった。更に、塗布剤の経年変化については考慮されておらず、効能の継続が保証されず、また、化学変化などにより危険な成分への変化の可能性が懸念される。
【０００５】
特許文献２、３のものは、子供がメモリカードを取り出してしまう可能性があり問題である。また、特許文献３の発明では、メモリカードの読み取りに別の装置が必要であり、乳幼児に対する対策がなされた状態でメモリへのアクセスが可能であり便利なものを提供するという観点は見られない。
【０００６】
上記に対し、メモリカードを保持したデータ記憶装置としては、特許文献４、５、６に記載されたものを挙げることができる。特許文献４に記載のものは、球状カプセルに保持したものであり、載置したときに収容位置を認識可能に構成したことが特徴となっている。特許文献５のものは、磁性体にアンテナコイルと共にμＳＤ等を設けてモジュール化し、外部のコイルと直接通信可能としたものである。更に、特許文献６に記載のものは、カード状電子機器を挿入する穴に挿入して保持し、埃やチリ、水滴等の付着を防止し、導電性の劣化や錆の発生による破損防止を図る電子機器用保持具である。
【０００７】
上記の特許文献４、５、６に記載されたものは、乳幼児による誤飲対策には触れていないものの、電子機器を保持するものであるから、保持した状態では全体的大きなものとなり、誤飲に一定程度の効果が期待できるが万全ではない。また、記憶媒体として用いる場合には、現状でマスタ装置側からのアクセス要求に応えることができる状態であるかなどを把握できる構成は備えておらず、マスタ機器に付属して使用されるデータ記憶装置としては不十分なものであった。
【先行技術文献】
【特許文献】
【０００８】
【特許文献１】特開２００６−３９５５号公報
【特許文献２】特開２０１１−９３６０４号公報
【特許文献３】特開２０１３−８９２１７号公報
【特許文献４】特開２０１２−３４７７号公報
【特許文献５】特開２０１３−１８２４８１号公報
【特許文献６】特開２００３−２５６７８８号公報
【発明の概要】
【発明が解決しようとする課題】
【０００９】
本発明は上記のようなメモリカードを用いたデータ記憶装置が有する問題点に鑑みてなされたもので、その目的は、乳幼児が誤飲などすることを防止できると共に現状でマスタ装置側からのアクセス要求に応えることができる状態であるかなどを把握することが可能なデータ記憶装置を提供することである。
【課題を解決するための手段】
【００１０】
本発明に係るデータ記憶装置では、メモリカードを挿抜可能なコネクタを備え、前記メモリカードにアクセスすると共に、マスタ機器との間で無線通信により送受信を行うデータ記憶装置において、前記メモリカードを挿抜する部位に開閉可能な蓋を有し、乳幼児の口に入らない大きさのケースと、前記蓋を開閉すると共に前記蓋が閉じられた状態においてロックする蓋駆動ロック手段と、前記ケースの外面に発光色を放つように設けられたＬＥＤと、前記マスタ機器との間における認証の完未完、前記マスタ機器との間の距離に基づく通信の可否、前記マスタ機器からの指示、に基づき前記蓋駆動ロック手段を制御して前記蓋の開閉とロック・アンロックを行うと共に、前記ＬＥＤを制御してその点灯状態を変更する制御手段とを具備することを特徴とする。
【００１１】
本発明に係るデータ記憶装置では、前記制御手段は、前記マスタ機器との認証が未完である場合に、前記蓋を閉成すると共にロック状態とし、前記ＬＥＤを消灯するように制御することを特徴とする。
【００１２】
本発明に係るデータ記憶装置では、前記制御手段は、前記マスタ機器との間で通信が不可である場合に、前記蓋を閉成すると共にロック状態とし、前記ＬＥＤを消灯するように制御することを特徴とする。
【００１３】
本発明に係るデータ記憶装置では、前記制御手段は、認証が完了した前記マスタ機器との間で通信が可能である場合において前記コネクタにメモリカードが未挿入である場合には、前記蓋をアンロック状態とすると共に前記蓋を開状態とし、前記ＬＥＤを第１の色により点灯するように制御することを特徴とする。
【００１４】
本発明に係るデータ記憶装置では、前記制御手段は、認証が完了した前記マスタ機器との間で通信が可能である場合において前記コネクタにメモリカードが挿入されている場合には、前記蓋をアンロック状態とすると共に前記蓋を開状態とし、前記ＬＥＤを第１の色と異なる第２の色により点灯するように制御することを特徴とする。
【００１５】
本発明に係るデータ記憶装置では、前記制御手段は、認証が完了した前記マスタ機器との間で回線接続中である場合に、前記蓋をアンロック状態とすると共に前記蓋を開状態とし、前記ＬＥＤを第１及び第２の色とは異なる第３の色により点灯するように制御することを特徴とする。
【００１６】
本発明に係るデータ記憶装置では、前記制御手段は、認証が完了した前記マスタ機器との間で回線接続中から回線接続が断となった場合に、前記蓋をアンロック状態とすると共に前記蓋を開状態とし、前記ＬＥＤを第１の色により点灯するように制御することを特徴とする
【００１７】
本発明に係るデータ記憶装置では、前記制御手段は、認証が完了した前記マスタ機器との間で回線接続中か否かを所定時間間隔で前記マスタ機器に問い合わせ、この問い合わせのときに、前記ＬＥＤを第３の色により点滅するように制御することを特徴とする。
【００１８】
本発明に係るデータ記憶装置では、前記制御手段は、前記マスタ機器からの指示に基づき前記蓋駆動ロック手段を制御して前記蓋の閉成とロックを行うと共に、前記ＬＥＤを第１〜第３の色と異なる第４の色により点灯するように制御することを特徴とする。
【００１９】
本発明に係るデータ記憶装置では、前記ケースが球形または角部が丸く切削された矩形形状であることを特徴とする。
【００２０】
本発明に係るデータ記憶装置では、球形の直径或いは矩形の一辺の長さが、５５ｍｍであることを特徴とする。
【発明の効果】
【００２１】
本発明によれば、乳幼児が誤飲などすることを防止できると共に現状でマスタ装置側からアクセス要求に応えることができる状態であるかなどを把握することが可能である。
【図面の簡単な説明】
【００２２】
【図１】本発明に係るデータ記憶装置の実施形態の構成を示すブロック図。
【図２】本発明に係るデータ記憶装置の第１の実施形態の外観構成を示す斜視図。
【図３】本発明に係るデータ記憶装置の第２の実施形態の外観構成を示す斜視図。
【図４】本発明に係るデータ記憶装置の実施形態の動作を説明するためのフローチャート。
【図５】本発明に係るデータ記憶装置の実施形態の動作を説明するためのフローチャート。
【図６】本発明に係るデータ記憶装置の実施形態の動作を説明するためのフローチャート。
【図７】本発明に係るデータ記憶装置の実施形態の動作を説明するためのフローチャート。
【図８】本発明に係るデータ記憶装置の実施形態の動作を説明するためのフローチャート。
【発明を実施するための形態】
【００２３】
以下添付図面を参照して、本発明に係るデータ記憶装置の実施形態を説明する。各図において、同一の構成要素には、同一の符号を付し、重複する説明を省略する。図１に、本発明に係るデータ記憶装置の実施形態の構成図を示す。この実施形態に係るデータ記憶装置は、メモリカードを挿抜可能なコネクタ３１を備え、上記メモリカードにアクセスすると共に、マスタ機器との間で無線通信により送受信を行うデータ記憶装置である。
【００２４】
本実施形態に係るデータ記憶装置は、ケース２０内に各部材が固定された構成を有する。このケース２０の所定位置には、メモリカードを挿抜する部位に開閉可能な蓋２１を有している。メモリカードを挿抜する部位は、コネクタ３１における差込口の前方とすることができる。ケース２０の大きさは、乳幼児の口に入らない大きさである。
【００２５】
本実施形態に係るデータ記憶装置は、ＣＰＵ１０が主メモリ１１内のプログラムやデータに基づき各部を制御するコンピュータの構成とすることができる。ＣＰＵ１０から延びるバス１２には、通信コントローラ１３、表示コントローラ１４、メモリコントローラ１５、蓋コントローラ１６が接続されている。
【００２６】
通信コントローラ１３には、送受信機１７が接続されている。通信コントローラ１３は、ＣＰＵの制御により送受信機１７を介して図示しないマスタ機器と送受信を行うものである。ここに、マスタ機器は、送受信によってこの記憶装置のメモリカードからデータを取り込み、表示等を行うものであれば、例えばスマートフォンやパーソナルコンピュータなどの端末とすることができる。送受信機１７が採用する通信の方式に制限はないのであるが、実施形態であるデータ記憶装置とマスタ機器の距離が近く、乳幼児の保護者等がマスタ機器を操作していることを考慮して、通信距離が１０ｃｍ以内であるＮＦＣ(Near Field Communication)が最も好適であり、通信距離が０．３ｍから１ｍのＩｒＤＡ(Infrared Data Association)を採用することができる。表示コントローラ１４にはＬＥＤ１８が接続され、表示コントローラ１４はＣＰＵ１０の制御下においてＬＥＤ１８の点灯消灯を制御するものである。
【００２７】
メモリコントローラ１５には、コネクタ３１が接続されている。メモリコントローラ１５は、ＣＰＵ１０の制御によってコネクタ３１に接続されるメモリカードにアクセスしデータのリードライトの制御を行うものである。蓋コントローラ１６には蓋駆動ロック手段である蓋駆動ロック手段１９が接続されている。蓋コントローラ１６はＣＰＵ１０の制御によって蓋駆動ロック手段１９を動作させて上記蓋２１を図１の矢印Ｘのように移動させて開閉すると共に上記蓋２１が閉じられた状態においてロックし、更にアンロックとするものである。
【００２８】
データ記憶装置の外観は図２に示すようである。即ち、ケース２０の形状は球形である。ただし、図２（ａ）に示すように、底部は平面に形成されることができる。底部に対向する上面の球冠は蓋２１である。球冠の蓋２１は側部方向へ移動するための戸袋である凹部２２に収納されることができる。蓋２１が凹部２２に収納された開いた状態では、図２（ｂ）に示すようにコネクタ３１のスロット３１Ａが現れ、メモリカードを挿抜可能である。メモリカードは、ＳＤメモリやμＳＤカードなどであり、ＵＳＢメモリであってもよい。コネクタ３１のスロット３１Ａにメモリカードを挿入してメモリカードとコネクタ３１が接続された状態では、蓋２１をスライドしてケース２０の開口を閉成することができる。つまり、蓋２１の頂部の内壁は、コネクタ３１のスロット３１Ａに挿入されたメモリカードに当たることはない。
【００２９】
例えば、蓋２１の一部と、閉成した状態の蓋２１の周縁に近接するケース２０の部位には、機械的構成や磁気的構成によって蓋２１をロックする図示しないロック機構が備えられており、蓋コントローラ１６がＣＰＵ１０の制御によってロック状態或いはアンロック状態を実現する。また、ケース２０における前述の凹部２２及び蓋２１には、蓋２１が開口部を閉成した状態から凹部２２に収納された状態まで移動させる図示しない蓋駆動機構が備えられている。蓋コントローラ１６がＣＰＵ１０の制御によって蓋駆動機構を動作させ、蓋２１による開口部の開口状態と閉成状態を実現することができる。上記ロック機構と蓋駆動機構は、図１に示した蓋駆動ロック手段１９を構成する。
【００３０】
ケース２０の最大周の球帯部分には、ＬＥＤ１８が設けられている。ＬＥＤ１８は、複数であることが望ましく、アレイ状に配置されていても良い。また、図２においてはＬＥＤ１８横方向に帯状に配置したが、縦方向や斜め方向に配置しても良いし、球のほぼ全面に配置しても良い。
【００３１】
また、ケース２０の形状は、図３に示すように角部が丸く切削された矩形形状であっても良い。図３のデータ記憶装置においては、ケース２０の中身や蓋２１に関する構成は、図２に示した実施形態のものと同様にすることができる。図２、図３において球形の直径或いは矩形の一辺の長さを、５５ｍｍとすることができる。この基準は、（社）日本家族計画協会によって提供されている３歳児の口の大きさが直径３９ｍｍ、最大奥行５１ｍｍというチェック用機材の寸法に基づくものである。従って、チェック用機材の寸法に数ミリのマージンをとった寸法であってもよいし、それ以上であっても良い。ただし、無意味に大きくする必要はなく、結局、上記の寸法程度が好適と思料される。
【００３２】
以上のように構成されたデータ記憶装置において、ＣＰＵ１０は、主メモリ１１のプログラムに基づき制御手段として動作する。この制御手段は、回線接続の際にマスタ機器との間で認証を行う機能を備えている。制御手段は、上記マスタ機器との間における認証の完未完、上記マスタ機器との間の距離に基づく通信の可否、上記マスタ機器からの指示、に基づき上記蓋駆動ロック手段１９を制御して上記蓋２１の開閉とロック・アンロックを行うと共に、上記ＬＥＤ１８を制御してその点灯状態を変更するものである。
【００３３】
このデータ記憶装置の制御手段は、図４から図８に示すフローチャートに基づき制御を行うので、これらのフローチャートを参照して動作説明を行う。制御手段は、電源がＯＮであるときには、図４に示す常時動作モードを実行している。即ち、通信コントローラ１３を制御して送受信機１７を介してマスタ機器をサーチし（Ｓ１１）、マスタ機器が通信範囲にあるかを検出する（Ｓ１２）。ここでは、通信方式としてＮＦＣを採用し、数ｃｍ以内にマスタ機器があるか否かを探す。
【００３４】
ステップＳ１２においてＮＯへ分岐すると、蓋２１を閉成すると共に蓋２１をロック状態とし、更にＬＥＤ１８を消灯し（Ｓ１３）、ステップＳ１１へ戻って処理を繰り返す。一方、ステップＳ１２においてＹＥＳへ分岐すると、通信範囲にあるマスタ機器との間において認証がとれているかを検出する認証有無検出モードを起動し（Ｓ１４）、ステップＳ１１へ戻って処理を繰り返す。
【００３５】
ステップＳ１４において認証有無検出モードが起動されたた場合には、図５に示すフローチャートによる動作が開始される。即ち、制御手段において、認証済みのマスタ機器の識別情報が保持されているかを調べることにより、当該マスタ機器が認証済みであるかを検出する（Ｓ２１、Ｓ２２）。認証がされていないときには、一定時間の間、認証要求が当該マスタ機器から送られてくるかを待つ（Ｓ２３、Ｓ２４）。一定時間待っても認証要求がなければステップＳ１３へジャンプする（Ｓ２５）。制御手段が上記のステップＳ２３、Ｓ２４の処理を行っているときに、認証の要求が到来すると図６に示す認証処理のフローチャートに対応する動作を行う。即ち、マスタ機器から送られてくるＩＤやパスワードや当該データ機器を使用する権限情報等が、データ記憶装置に記憶されているものと一致するかなどを検出し、認証を与えることのできる情報が到来したかを検出する（Ｓ４１）。
【００３６】
上記ステップＳ４１においてＮＯへ分岐すると、認証失敗として処理を終了する（Ｓ４２）。上記ステップＳ４１においてＹＥＳへ分岐すると、認証成功の通知をマスタ機器へ送り(Ｓ４３)、認証済みのマスタ機器として当該マスタ機器のＩＤ等を登録する（Ｓ４４）。
【００３７】
図５に示したステップＳ２２において認証済みであることが検出されると、データ記憶装置としての本来動作モードが起動される（Ｓ２６）。データ記憶装置としての本来動作モードが起動されると、図７に示したフローチャートに対応する処理が行われる。まず、蓋２１をアンロックして開き（Ｓ３１）、メモリカードがセットされているか否かの分析を行い（Ｓ３２）、メモリカードがセットされていないときにＬＥＤ１８を第１の色で点灯し（Ｓ３３）、メモリカードがセットされているときにはＬＥＤ１８を第２の色（第１の色とは異なる色）で点灯し（Ｓ３４）、ステップＳ３３、Ｓ３４の後には待機モードを起動する（Ｓ３５）。
【００３８】
上記の待機モードでは、図８に示されるフローチャートに対応する処理が実行される。待機モードとなると、所定時間の経過毎にマスタ機器との間で回線接続中か否かを所定時間間隔で上記マスタ機器に問い合わせ（Ｓ５１、Ｓ５３）、この問い合わせのときに、前記ＬＥＤ１８を第３の色により点滅させる（Ｓ５２）。ステップＳ５３の回線接続の問い合わせに対し接続中を示すステータスが返されると、蓋をアンロック状態とすると共に前記蓋を開状態とし、前記ＬＥＤを第１及び第２の色とは異なる第３の色により点灯させる（Ｓ５４）。
【００３９】
このステップ５４のときには、制御手段はマスタ機器からの要求に応えてメモリカード内のデータを読み出して送受信機１７を介してマスタ機器へ送ることができる。また、制御手段はママスタ機器からの要求に応えてスタ機器から送られてきたデータをメモリカード内に書き込むことができる。
【００４０】
ステップＳ５１の回線接続の問い合わせに対し接続中を示すステータスが返されなければ、ステップＳ５３においてＮＯへ分岐し、マスタ機器がスリープ中となったかを検出し（Ｓ５５）、スリープ中でなければステップＳ５１へ戻って処理を続ける。ステップＳ５５においてＹＥＳとなると、蓋２１を閉成すると共に蓋２１をロック状態とし、更にＬＥＤ１８を消灯する（Ｓ５７）。
【００４１】
また、接続中でステップＳ５４の処理に続いては、回線接続が終了したかの検出が行われ（Ｓ５６）、回線接続が終了していなければステップＳ５１へ戻って処理が行われる。一方、ステップＳ５６において回線接続が終了していることが検出されると、ステップＳ５７へと進む。このステップＳ５７では、前述の通り、蓋２１を閉成すると共に蓋２１をロック状態とし、更にＬＥＤ１８を消灯する処理が行われる。このステップＳ５７に続いては、マスタ機器サーチモード（図４）へとジャンプする（Ｓ５８）。
【００４２】
以上のように本発明の実施形態に係るデータ記憶装置によれば、マスタ機器との距離が通信範囲外の距離となると蓋２１の閉成とロックが行われるので、メモリカードが乳幼児により取り出され誤飲されることがない。また、データ記憶装置の大きさからも誤飲の虞をなくすることができる。また、マスタ機器との距離が通信範囲内の距離であるときには、マスタ機器の操作者へＬＥＤの色変化で当該データ記憶装置の状態を知らせるので、この装置を適切に使用することが可能である。
【００４３】
以上の実施形態では、マスタ機器との距離が通信範囲内の距離であるときには、蓋２１のロック状態を解除し蓋２１を開けるようにしたが、マスタ機器からの指示に基づき上記蓋駆動ロック手段１９を制御して蓋２１の閉成とロックを行うと共に、ＬＥＤ１８を第１〜第３の色と異なる第４の色により点灯するように制御するようにしても良い。これによって、必要なときに蓋２１を閉めてロックし、安全性を高めることができる。この場合に、第４の色としては、人間も含めて動物が食欲を失う色である紫などの色とすることができる。
【００４４】
更に、マスタ機器との距離が通信範囲外の距離となるとＬＥＤを消灯するようにしたが、ＬＥＤ１８を第１〜第３の色と異なる第４の色により点灯するように制御するようにしても良い。この場合に第４の色としては、人間も含めて動物が食欲を失う色である紫などの色とすることができる。また、マスタ機器との距離が通信範囲外の距離か通信範囲内の距離であるかによって、制御手段が蓋駆動ロック手段を制御して蓋の開閉とロック・アンロックを行うと共に、ＬＥＤを制御してその点灯状態を変更するようにしたが、距離をセンサにより計測して所定の距離を基準として上記制御を行うようにしても良い。
【符号の説明】
【００４５】
１０  ＣＰＵ
１１  主メモリ
１２  バス
１３  通信コントローラ
１４  表示コントローラ
１５  メモリコントローラ
１６  蓋コントローラ
１７  送受信機
１８  ＬＥＤ
１９  蓋駆動ロック手段
２０  ケース
２１  蓋
２２  凹部
３１  コネクタ
３１Ａ  スロット
【図１】
2019056993.tif 000003
【図２】
2019056993.tif 000004
【図３】
2019056993.tif 000005
【図４】
2019056993.tif 000006
【図５】
2019056993.tif 000007
【図６】
2019056993.tif 000008
【図７】
2019056993.tif 000009
【図８】
2019056993.tif 000010